(57)【要約】【課題】いずれのペン先を上向きで長期間保管しても、インキ流出不良が発生するおそれがない直液タイプの両頭式筆記具を提供する。【解決手段】両端が開口する軸筒２の内部に隔壁３を形成し、軸筒２内部に、互いに連通しない第１の収容部５Ａと第２の収容部５Ｂとを設ける。第１の収容部５Ａの開口端及び第２の収容部５Ｂの開口端の各々にペン先４Ａ，４Ｂを備える。少なくとも第１の収容部５Ａまたは第２の収容部５Ｂのいずれか一方に、その開口端のペン先４Ａと接続されるインキ保溜部材６Ａを設ける。インキ保溜部材６Ａの後方にインキ貯溜部８Ａを設ける。インキ貯溜部８Ａ内にインキ９Ａを直接貯溜する。誘導芯７Ａの後端部をインキ保溜部材６Ａの後端より後方に突出させる。インキ保溜部材６Ａの前方のペン先４Ａの上向き時に、誘導芯７Ａの後端部とインキ貯溜部８Ａ内のインキ９Ａとが接触状態にある。【選択図】  図１
2006027063.tif 000002
【特許請求の範囲】
【請求項１】
両端が開口する軸筒の内部に隔壁を形成し、前記隔壁により軸筒内部に、軸筒の一端より開口する第１の収容部と、軸筒の他端より開口する第２の収容部とを設け、前記第１の収容部と前記第２の収容部とを互いに連通しない構成とし、前記第１の収容部の開口端及び第２の収容部の開口端の各々にペン先を備えた両頭式筆記具であって、
少なくとも第１の収容部または第２の収容部のいずれか一方に、その開口端のペン先と接続されるインキ保溜部材を該ペン先の後方に設け、前記インキ保溜部材の後方にインキ貯溜部を設け、前記前記インキ貯溜部内にインキを直接貯溜し、前記インキ保溜部材が、前記インキ貯溜部内の圧力上昇に応じた溢出インキを一時的に保持し、前記インキ保溜部材の軸心に、前記インキ貯溜部から前記インキ保溜部材の前方のペン先へインキを供給する誘導芯を挿着し、前記誘導芯の後端部を前記インキ保溜部材の後端より後方に突出させ、前記インキ保溜部材の前方のペン先が上向き時に、前記誘導芯の後端部と前記インキ貯溜部内のインキとが接触状態にあることを特徴とする両頭式筆記具。
【請求項２】
両端が開口する軸筒の内部に隔壁を形成し、前記隔壁により軸筒内部に、軸筒の一端より開口する第１の収容部と、軸筒の他端より開口する第２の収容部とを設け、前記第１の収容部と前記第２の収容部とを互いに連通しない構成とし、
前記第１の収容部の開口端に第１のペン先を設け、前記第１のペン先の後方の第１の収容部の開口部内に前記第１のペン先と接続される第１のインキ保溜部材を設け、前記第１のインキ保溜部材の後方の第１の収容部内に第１のインキ貯溜部を設け、前記第１のインキ貯溜部内に第１のインキを直接貯溜し、前記第１のインキ保溜部材が、前記第１のインキ貯溜部内の圧力上昇に応じた溢出インキを一時的に保持し、前記第１のインキ保溜部材の軸心に、第１のインキ貯溜部から第１のペン先へ第１のインキを供給する第１の誘導芯を挿着し、前記第１の誘導芯の後端部を第１のインキ保溜部材の後端より後方に突出させ、
前記第２の収容部の開口端に第２のペン先を設け、前記第２のペン先の後方の第２の収容部の開口部内に前記第２のペン先と接続される第２のインキ保溜部材を設け、前記第２のインキ保溜部材の後方の第２の収容部内に第２のインキ貯溜部を設け、前記第２のインキ貯溜部内に第２のインキを直接貯溜し、前記第２のインキ保溜部材が、前記第２のインキ貯溜部内の圧力上昇に応じた溢出インキを一時的に保持し、前記第２のインキ保溜部材の軸心に、第２のインキ貯溜部から第２のペン先へ第２のインキを供給する第２の誘導芯を挿着し、前記第２の誘導芯の後端部を第２のインキ保溜部材の後端より後方に突出させ、
前記第１のペン先の上向き時には前記第１の誘導芯の後端部と前記第１のインキとが接触状態にあり、前記第２のペン先の上向き時には前記第２の誘導芯の後端部と前記第２のインキとが接触状態にあることを特徴とする両頭式筆記具。
【請求項３】
前記隔壁を軸方向に延設し、前記隔壁の一端を第１のインキ保溜部材近傍の軸筒側壁に接続し、且つ、前記隔壁の他端を第２のインキ保溜部材近傍の軸筒側壁に接続してなる請求項２記載の両頭式筆記具。
【請求項４】
前記隔壁が、軸方向に延びる中央壁部と、前記中央壁部の一端と第１のインキ保溜部材近傍の軸筒側壁とを接続する第１の底壁部と、前記中央壁部の他端と第２のインキ保溜部材近傍の軸筒側壁とを接続する第２の底壁部とからなり、
前記第１の底壁部と第１のインキ保溜部材の後端面とにより第１の凹状空間を形成し、前記第１の凹状空間内に前記第１の誘導芯の後端部を位置させ、前記第２の底壁部と第２のインキ保溜部材の後端面とにより第２の凹状空間を形成し、前記第２の凹状空間内に前記第２の誘導芯の後端部を位置させた請求項３記載の両頭式筆記具。
【請求項５】
前記第１の凹状空間を構成する軸筒側壁内面または第１の底壁部に、軸方向に延びる第１のリブを形成し、前記第１のリブと前記第１の誘導芯の後端部外周面との間に毛細管力を有する隙間を形成し、
前記第２の凹状空間を構成する軸筒側壁内面または第２の底壁部に、軸方向に延びる第２のリブを形成し、前記第２のリブと前記第２の誘導芯の後端部外周面との間に毛細管力を有する隙間を形成した請求項４記載の両頭式筆記具。
【発明の詳細な説明】
【技術分野】
【０００１】
本発明は、直液タイプの両頭式筆記具に関する。尚、本発明において、「前」とは、第１の収容部において第１のペン先側を指し、第２の収容部において第２のペン先側を指し、また、「後」とは、第１の収容部において第１のインキ貯溜部側を指し、第２の収容部において第２のインキ貯溜部側を指す。
【背景技術】
【０００２】
従来、この種の両頭式筆記具において、例えば、特許文献１には、ペン先とペン先ホルダとインキタンクを固定した直液構造のペン先ユニットを筒軸両端側に着脱自在に取付けた筆記具が開示されている。
【０００３】
【特許文献１】特開２００２−３６７８６号公報
【発明の開示】
【発明が解決しようとする課題】
【０００４】
前記特許文献１の両頭式筆記具は、インキ保溜部材の後端より突出する誘導芯の後端部と、インキ液面との関係について何ら考慮されていない。そのため、ペン先上向き状態で長期間保管した場合、ペン先内のインキがドロップバックしたり、誘導芯内の毛細間隙がインキの乾燥により目詰まりを起こし、前記上向き状態にした側のペン先において筆記不能や筆跡かすれ等のインキ流出不良が発生するおそれがある。
【０００５】
前記従来の両頭式筆記具において、両側のペン先がインキ保溜部材を備えた直液タイプである場合、筆記具を立設状態で保管する際、必然的にいずれか一方のペン先が上向き状態になり、前記ペン先上向き状態の長期間保管により、前記上向きにされたペン先においてインキ流出不良が生じやすい。また、両頭式筆記具において、片側のみのペン先がインキ保溜部材を備えた直液タイプである場合でも、筆記具を立設状態で長期間保管する際、前記インキ流出不良を回避するために前記直液タイプのペン先側が上向き状態とならないように注意しなければならならない。
【０００６】
また、前記特許文献１の両頭式筆記具は、インキ貯溜部内のインキ残量が少なくなった場合、筆記具を水平状態やペン先斜め上向きで筆記使用すると、誘導芯とインキ貯溜部内のインキとの接触状態が不十分となり、筆記不能や筆跡かすれ等のインキ流出不良が生じるおそれがある。
【０００７】
本発明は、前記従来の問題点を解決するものであって、いずれのペン先を上向きで長期間保管しても、インキ流出不良が発生するおそれがなく、また、インキ残量が少なくなった場合に筆記具を水平状態やペン先斜め上向きで筆記使用しても、インキ流出不良が発生するおそれがない両頭式筆記具を提供しようとするものである。
【課題を解決するための手段】
【０００８】
本発明は、以下の（請求項１）乃至（請求項５）の要件を特徴とする。
【０００９】
（請求項１）両端が開口する軸筒の内部に隔壁を形成し、前記隔壁により軸筒内部に、軸筒の一端より開口する第１の収容部と、軸筒の他端より開口する第２の収容部とを設け、前記第１の収容部と前記第２の収容部とを互いに連通しない構成とし、前記第１の収容部の開口端及び第２の収容部の開口端の各々にペン先を備えた両頭式筆記具であって、少なくとも第１の収容部または第２の収容部のいずれか一方に、その開口端のペン先と接続されるインキ保溜部材を該ペン先の後方に設け、前記インキ保溜部材の後方にインキ貯溜部を設け、前記前記インキ貯溜部内にインキを直接貯溜し、前記インキ保溜部材が、前記インキ貯溜部内の圧力上昇に応じた溢出インキを一時的に保持し、前記インキ保溜部材の軸心に、前記インキ貯溜部から前記インキ保溜部材の前方のペン先へインキを供給する誘導芯を挿着し、前記誘導芯の後端部を前記インキ保溜部材の後端より後方に突出させ、前記インキ保溜部材の前方のペン先が上向き時に、前記誘導芯の後端部と前記インキ貯溜部内のインキとが接触状態にあることを特徴とする両頭式筆記具。
【００１０】
（請求項２）両端が開口する軸筒の内部に隔壁を形成し、前記隔壁により軸筒内部に、軸筒の一端より開口する第１の収容部と、軸筒の他端より開口する第２の収容部とを設け、前記第１の収容部と前記第２の収容部とを互いに連通しない構成とし、前記第１の収容部の開口端に第１のペン先を設け、前記第１のペン先の後方の第１の収容部の開口部内に前記第１のペン先と接続される第１のインキ保溜部材を設け、前記第１のインキ保溜部材の後方の第１の収容部内に第１のインキ貯溜部を設け、前記第１のインキ貯溜部内に第１のインキを直接貯溜し、前記第１のインキ保溜部材が、前記第１のインキ貯溜部内の圧力上昇に応じた溢出インキを一時的に保持し、前記第１のインキ保溜部材の軸心に、第１のインキ貯溜部から第１のペン先へ第１のインキを供給する第１の誘導芯を挿着し、前記第１の誘導芯の後端部を第１のインキ保溜部材の後端より後方に突出させ、前記第２の収容部の開口端に第２のペン先を設け、前記第２のペン先の後方の第２の収容部の開口部内に前記第２のペン先と接続される第２のインキ保溜部材を設け、前記第２のインキ保溜部材の後方の第２の収容部内に第２のインキ貯溜部を設け、前記第２のインキ貯溜部内に第２のインキを直接貯溜し、前記第２のインキ保溜部材が、前記第２のインキ貯溜部内の圧力上昇に応じた溢出インキを一時的に保持し、前記第２のインキ保溜部材の軸心に、第２のインキ貯溜部から第２のペン先へ第２のインキを供給する第２の誘導芯を挿着し、前記第２の誘導芯の後端部を第２のインキ保溜部材の後端より後方に突出させ、前記第１のペン先の上向き時には前記第１の誘導芯の後端部と前記第１のインキとが接触状態にあり、前記第２のペン先の上向き時には前記第２の誘導芯の後端部と前記第２のインキとが接触状態にあることを特徴とする両頭式筆記具。
【００１１】
（請求項３）前記隔壁を軸方向に延設し、前記隔壁の一端を第１のインキ保溜部材近傍の軸筒側壁に接続し、且つ、前記隔壁の他端を第２のインキ保溜部材近傍の軸筒側壁に接続してなる請求項２記載の両頭式筆記具。
【００１２】
（請求項４）前記隔壁が、軸方向に延びる中央壁部と、前記中央壁部の一端と第１のインキ保溜部材近傍の軸筒側壁とを接続する第１の底壁部と、前記中央壁部の他端と第２のインキ保溜部材近傍の軸筒側壁とを接続する第２の底壁部とからなり、前記第１の底壁部と第１のインキ保溜部材の後端面とにより第１の凹状空間を形成し、前記第１の凹状空間内に前記第１の誘導芯の後端部を位置させ、前記第２の底壁部と第２のインキ保溜部材の後端面とにより第２の凹状空間を形成し、前記第２の凹状空間内に前記第２の誘導芯の後端部を位置させた請求項３記載の両頭式筆記具。
【００１３】
（請求項５）前記第１の凹状空間を構成する軸筒側壁内面または第１の底壁部に、軸方向に延びる第１のリブを形成し、前記第１のリブと前記第１の誘導芯の後端部外周面との間に毛細管力を有する隙間を形成し、前記第２の凹状空間を構成する軸筒側壁内面または第２の底壁部に、軸方向に延びる第２のリブを形成し、前記第２のリブと前記第２の誘導芯の後端部外周面との間に毛細管力を有する隙間を形成した請求項４記載の両頭式筆記具。
【発明の効果】
【００１４】
請求項１により、直液タイプのペン先側を上向きで長期間保管しても、直液タイプのペン先側でインキ流出不良が発生するおそれがない。その上、片側のみのペン先がインキ保溜部材を備えた直液タイプである場合に両頭式筆記具を立設状態で長期間保管する際、前記直液タイプのペン先側が上向き状態とならないように注意する必要がない。
【００１５】
請求項２により、第１または第２のいずれのペン先を上向きで長期間保管しても、インキ流出不良が発生するおそれがない。
【００１６】
請求項３により、第１または第２のいずれのインキ貯溜部内のインキ残量が少なくなった際に水平状態で筆記使用しても、第１または第２のインキ貯溜部内のインキが第１または第２のインキ保溜部材の後端近傍で保持され、第１または第２の誘導芯の後端部とインキとの接触状態が維持され、インキ流出不良の発生を抑えることができる。
【００１７】
請求項４により、第１または第２のいずれのインキ貯溜部内のインキ残量が少なくなった際にペン先斜め上向状態で筆記使用しても、第１または第２のインキ貯溜部内のインキが第１または第２のインキ保溜部材の後端近傍の凹状空間内で保持され、第１または第２の誘導芯の後端部とインキとの接触状態が維持され、インキ流出不良の発生を抑えることができる。
【００１８】
請求項５により、第１または第２のいずれのインキ貯溜部内のインキ残量がより一層少なくなった場合でも、誘導芯後端部にインキを十分に供給することができ、第１または第２のインキ貯溜部内のインキ残量が無くなるまで筆記することができる。
【発明を実施するための最良の形態】
【００１９】
本発明を実施するための最良の形態を説明する。
【００２０】
本発明の第１の実施の形態の両頭式筆記具１は、両端が開口する軸筒２の内部に隔壁３を形成し、前記隔壁３により軸筒２内部に、軸筒２の一端より開口する第１の収容部５Ａと、軸筒２の他端より開口する第２の収容部５Ｂとを設け、前記第１の収容部５Ａと前記第２の収容部５Ｂとを互いに連通しない構成とし、前記第１の収容部５Ａの開口端及び第２の収容部５Ｂの開口端の各々にペン先４Ａ，４Ｂを備えた両頭式筆記具１であって、少なくとも第１の収容部５Ａまたは第２の収容部５Ｂのいずれか一方に、その開口端のペン先４Ａ，４Ｂと接続されるインキ保溜部材６Ａ，６Ｂを該ペン先４Ａ，４Ｂの後方に設け、前記インキ保溜部材６Ａ，６Ｂの後方にインキ貯溜部８Ａ，８Ｂを設け、前記前記インキ貯溜部８Ａ，８Ｂ内にインキ９Ａ，９Ｂを直接貯溜し、前記インキ保溜部材６Ａ，６Ｂが、前記インキ貯溜部８Ａ，８Ｂ内の圧力上昇に応じた溢出インキを一時的に保持し、前記インキ保溜部材６Ａ，６Ｂの軸心に、前記インキ貯溜部８Ａ，８Ｂから前記インキ保溜部材６Ａ，６Ｂの前方のペン先４Ａ，４Ｂへインキ９Ａ，９Ｂを供給する誘導芯７Ａ，７Ｂを挿着し、前記誘導芯７Ａ，７Ｂの後端部を前記インキ保溜部材６Ａ，６Ｂの後端より後方に突出させ、前記インキ保溜部材６Ａ，６Ｂの前方のペン先４Ａ，４Ｂが上向き時に、前記誘導芯７Ａ，７Ｂの後端部と前記インキ貯溜部８Ａ，８Ｂ内のインキ９Ａ，９Ｂとが接触状態にあること（請求項１）を特徴とする。
【００２１】
前記構成（請求項１）の両頭式筆記具１は、インキ保溜部材６Ａ，６Ｂを備える直液タイプのインキ供給手段を備えたペン先側を上向き状態で長期間保管したとしても、誘導芯７Ａ，７Ｂの後端部がインキ貯溜部８Ａ，８Ｂ内のインキと接触状態にある（即ち誘導芯７Ａ，７Ｂの後端がインキ９Ａ，９Ｂの液面より下方に位置する）ため、ペン先４Ａ，４Ｂ内のインキがドロップバックしたり、誘導芯７Ａ，７Ｂ内の毛細間隙が乾燥により目詰まりすることを回避し、筆記不能や筆跡かすれの発生を抑え、ペン先４Ａ，４Ｂからの適正なインキ流出性が維持される。また、前記構成（請求項１）の両頭式筆記具１において、軸筒２の一方のみが前記インキ保溜部材６Ａ，６Ｂを備えた直液タイプの場合、ユーザーが、両頭式筆記具を立設状態で長期間保管する際、前記ドロップバックや目詰まりを回避するために前記直液タイプのペン先側が上向き状態とならないよう注意する必要がない。
【００２２】
前記構成（請求項１）の両頭式筆記具１において、直液タイプのインキ供給手段は、少なくとも軸筒２の一方に設けられる。その場合、軸筒２の他方は、前記同様のインキ保溜部材を有する直液タイプの他、中綿タイプ（繊維加工体等よりなるインキ吸蔵体に含浸したインキがペン先に供給されるタイプ）、直詰タイプ（インキ収容管内に充填したインキの後端面がインキ消費に伴って前進するタイプ）が挙げられる。
【００２３】
尚、前記ペン先４Ａ，４Ｂは、例えば、繊維加工体、多孔質体、毛筆体、合成樹脂の押出成形体、ボールペンチップ、万年筆状の金属板製ペン体等が挙げられる。前記誘導芯は、例えば、合成樹脂の押出成形体、繊維の樹脂加工体が挙げられる。また、前記誘導芯はペン先を兼ねる構成でもよい。前記隔壁３は、軸筒２内部を第１の収容部５Ａと第２の収容部５Ｂに非連通状態に分離するものであれば、いずれの構成であってもよく、例えば、軸筒２内壁と一体形成してもよいし、あるいは軸筒２内面に取り付ける別部材により構成してもよい。
【００２４】
本発明の第２の実施の形態の両頭式筆記具１は、両端が開口する軸筒２の内部に隔壁３を形成し、前記隔壁３により軸筒２内部に、軸筒２の一端より開口する第１の収容部５Ａと、軸筒２の他端より開口する第２の収容部５Ｂとを設け、前記第１の収容部５Ａと前記第２の収容部５Ｂとを互いに連通しない構成とし、前記第１の収容部５Ａの開口端に第１のペン先４Ａを設け、前記第１のペン先４Ａの後方の第１の収容部５Ａの開口部内に前記第１のペン先４Ａと接続される第１のインキ保溜部材６Ａを設け、前記第１のインキ保溜部材６Ａの後方の第１の収容部５Ａ内に第１のインキ貯溜部８Ａを設け、前記第１のインキ貯溜部８Ａ内に第１のインキ９Ａを直接貯溜し、前記第１のインキ保溜部材６Ａが、前記第１のインキ貯溜部８Ａ内の圧力上昇に応じた溢出インキを一時的に保持し、前記第１のインキ保溜部材６Ａの軸心に、第１のインキ貯溜部８Ａから第１のペン先４Ａへ第１のインキ９Ａを供給する第１の誘導芯７Ａを挿着し、前記第１の誘導芯７Ａの後端部を第１のインキ保溜部材６Ａの後端より後方に突出させ、前記第２の収容部５Ｂの開口端に第２のペン先４Ｂを設け、前記第２のペン先４Ｂの後方の第２の収容部５Ｂの開口部内に前記第２のペン先４Ｂと接続される第２のインキ保溜部材６Ｂを設け、前記第２のインキ保溜部材６Ｂの後方の第２の収容部５Ｂ内に第２のインキ貯溜部８Ｂを設け、前記第２のインキ貯溜部８Ｂ内に第２のインキ９Ｂを直接貯溜し、前記第２のインキ保溜部材６Ｂが、前記第２のインキ貯溜部８Ｂ内の圧力上昇に応じた溢出インキを一時的に保持し、前記第２のインキ保溜部材６Ｂの軸心に、第２のインキ貯溜部８Ｂから第２のペン先４Ｂへ第２のインキ９Ｂを供給する第２の誘導芯７Ｂを挿着し、前記第２の誘導芯７Ｂの後端部を第２のインキ保溜部材６Ｂの後端より後方に突出させ、前記第１のペン先４Ａの上向き時には前記第１の誘導芯７Ａの後端部と前記第１のインキ９Ａとが接触状態にあり、前記第２のペン先４Ｂの上向き時には前記第２の誘導芯７Ｂの後端部と前記第２のインキ９Ｂとが接触状態にあること（請求項２）を特徴とする。
【００２５】
前記構成（請求項２）の両頭式筆記具１は、第１のペン先４Ａを上向き状態で長期間保管した場合、第１の誘導芯７Ａの後端部と第１のインキ９Ａとが接触状態にある（即ち第１の誘導芯７Ａの後端が第１のインキ９Ａの液面より下方に位置している）ため、第１のペン先４Ａ内のドロップバックや乾燥による目詰まりを回避し、第１のペン先４Ａにおいてインキ流出不良を防止することができる。同様に、前記構成（請求項２）の両頭式筆記具１は、第２のペン先４Ｂを上向き状態で長期間保管した場合、第２の誘導芯７Ｂの後端部と第２のインキ９Ｂとが接触状態にある（即ち第２の誘導芯７Ｂの後端が第２のインキ９Ｂの液面より下方に位置している）ため、第２のペン先４Ｂ内のドロップバックや乾燥による目詰まりを回避し、第２のペン先４Ｂにおいてインキ流出不良を防止することができる。
【００２６】
尚、前記第１のペン先４Ａ及び第２のペン先４Ｂは、例えば、繊維加工体、多孔質体、毛筆体、合成樹脂の押出成形体、ボールペンチップ、万年筆状の金属板製ペン体等が挙げられる。前記第１の誘導芯７Ａ及び第２の誘導芯７Ｂは、例えば、合成樹脂の押出成形体、繊維の樹脂加工体が挙げられる。また、前記第１の誘導芯７Ａ及び第２の誘導芯７Ｂはペン先を兼ねる構成でもよい。前記隔壁３は、軸筒２内部を第１の収容部５Ａと第２の収容部５Ｂに非連通状態に分離するものであれば、いずれの構成であってもよく、例えば、軸筒２内壁と一体形成してもよいし、あるいは軸筒２内面に取り付ける別部材により構成してもよい。
【００２７】
前記請求項２の両頭式筆記具１において、前記隔壁３を軸方向に延設し、前記隔壁３の一端を第１のインキ保溜部材６Ａ近傍の軸筒２側壁に接続し、且つ、前記隔壁３の他端を第２のインキ保溜部材６Ｂ近傍の軸筒２側壁に接続してなること（請求項３）が好ましい。
【００２８】
前記構成（請求項３）の両頭式筆記具１は、第１のインキ貯溜部８Ａ内の第１のインキ９Ａの残量が少なくなった場合、水平状態で第１のペン先４Ａ側を筆記使用しても、隔壁３の一端と第１のインキ保溜部材６Ａ近傍の軸筒２側壁との接続部分を下側にすれば、第１のインキ貯溜部８Ａ内の残り少ない第１インキが第１のインキ保溜部材６Ａの後端近傍に移動し、第１の誘導芯７Ａの後端部と第１のインキ９Ａとの接触状態が維持され、インキ流出不良の発生を抑えることができる（図４参照）。同様に、前記構成（請求項３）の両頭式筆記具１は、第２のインキ貯溜部８Ｂ内の第２のインキ９Ｂの残量が少なくなった場合、水平状態で第２のペン先４Ｂ側を筆記使用しても、隔壁３の他端と第２のインキ保溜部材６Ｂ近傍の軸筒２側壁との接続部分を下側にすれば、第２のインキ貯溜部８Ｂ内の残り少ない第２インキが第２のインキ保溜部材６Ｂの後端近傍に移動し、第２の誘導芯７Ｂの後端部と第２のインキ９Ｂとの接触状態が維持され、インキ流出不良の発生を抑えることができる。
【００２９】
尚、前記隔壁３は、全体として軸方向に延設され、一端と他端が軸方向に離れた位置にあればよく、例えば、軸線に対して傾斜する方向に延設する構成であってもよいし、軸線に対して平行に延設する構成であってもよいし、前記二つの構成の組合せでもよい。
【００３０】
さらに、前記請求項３において、前記隔壁３が、軸方向に延びる中央壁部３１と、前記中央壁部３１の一端と第１のインキ保溜部材６Ａ近傍の軸筒２側壁とを接続する第１の底壁部３２と、前記中央壁部３１の他端と第２のインキ保溜部材６Ｂ近傍の軸筒２側壁とを接続する第２の底壁部３３とからなり、前記第１の底壁部３２と第１のインキ保溜部材６Ａの後端面とにより第１の凹状空間１０Ａを形成し、前記第１の凹状空間１０Ａ内に前記第１の誘導芯７Ａの後端部を位置させ、前記第２の底壁部３３と第２のインキ保溜部材６Ｂの後端面とにより第２の凹状空間１０Ｂを形成し、前記第２の凹状空間１０Ｂ内に前記第２の誘導芯７Ｂの後端部を位置させたこと（請求項４）が好ましい。
【００３１】
前記構成（請求項４）の両頭式筆記具１は、第１のインキ貯溜部８Ａ内の第１のインキ９Ａの残量が少なくなった場合、ペン先斜め上向きで第１のペン先４Ａ側を筆記使用しても、第１の凹状空間１０Ａを下側にすれば、第１のインキ貯溜部８Ａ内の残り少ない第１インキが第１の凹状空間１０Ａに保持され、第１の誘導芯７Ａの後端部と第１のインキ９Ａとの接触状態が維持され、インキ流出不良の発生を抑えることができる。同様に、前記構成（請求項４）の両頭式筆記具１は、第２のインキ貯溜部８Ｂ内の第２のインキ９Ｂの残量が少なくなった場合、ペン先斜め上向きで第２のペン先４Ｂ側を筆記使用しても、第２の凹状空間１０Ｂを下側にすれば、第２のインキ貯溜部８Ｂ内の残り少ない第２インキが第２の凹状空間１０Ｂに保持され、第２の誘導芯７Ｂの後端部と第２のインキ９Ｂとの接触状態が維持され、インキ流出不良の発生を抑えることができる。
【００３２】
前記請求項４において、前記第１の凹状空間１０Ａを構成する軸筒２側壁内面または第１の底壁部３２に、軸方向に延びる第１のリブ１１Ａを形成し、前記第１のリブ１１Ａと前記第１の誘導芯７Ａの後端部外周面との間に毛細管力を有する隙間１２Ａを形成し、前記第２の凹状空間１０Ｂを構成する軸筒２側壁内面または第２の底壁部３３に、軸方向に延びる第２のリブ１１Ｂを形成し、前記第２のリブ１１Ｂと前記第２の誘導芯７Ｂの後端部外周面との間に毛細管力を有する隙間１２Ｂを形成したこと（請求項５）が好ましい。
【００３３】
前記構成（請求項５）の両頭式筆記具１は、第１のインキ貯溜部８Ａ内の第１のインキ９Ａの残量がより一層少なくなった場合でも、第１のリブ１１Ａと前記第１の誘導芯７Ａの後端部外周面との間に形成した毛細管力を有する隙間１２Ａにより、第１の誘導芯７Ａ後端部に第１のインキ９Ａを供給することができ、インキ流出不良を発生させることなく、第１のインキ貯溜部８Ａ内の第１のインキ９Ａを最後まで使い切ることができる。同様に、前記構成（請求項５）の両頭式筆記具１は、第２のインキ貯溜部８Ｂ内の第２のインキ９Ｂの残量がより一層少なくなった場合でも、第２のリブ１１Ｂと前記第２の誘導芯７Ｂの後端部外周面との間に形成した毛細管力を有する隙間１２Ｂにより、第２の誘導芯７Ｂ後端部に第２のインキ９Ｂを供給することができ、インキ流出不良を発生させることなく、第２のインキ貯溜部８Ｂ内の第２のインキ９Ｂを最後まで使い切ることができる。
【実施例１】
【００３４】
図１乃至図４に本発明の第１実施例を示す。
本実施例の両頭式筆記具１は、一端に第１のペン先４Ａを備え且つ他端に第２のペン先４Ｂを備えた軸筒２からなる。
【００３５】
・軸筒
前記軸筒２は、両端が開口された円筒体である。前記軸筒２は、透明性の合成樹脂（即ち透明また半透明の合成樹脂）の射出成形により得られる。前記軸筒２の内面には、隔壁３が一体に形成される。前記隔壁３により、前記軸筒２の内部に、軸筒２の一端より開口する第１の収容部５Ａと、軸筒２の他端より開口する第２の収容部５Ｂとが形成される。前記隔壁３により、前記第１の収容部５Ａと第２の収容部５Ｂとの間は、連通せず、互いにインキが流通しないように遮断される。前記透明または半透明の合成樹脂は、例えば、ポリプロピレンが挙げられる。本実施の形態では、前記透明または半透明の合成樹脂は、軸筒２内のインキ色が視認しやすいように、無色透明性または非着色透明性の合成樹脂が採用されている。
【００３６】
・隔壁
前記隔壁３は、軸線と略平行に延びる中央壁部３１と、該中央壁部３１の両端より延設される軸線に対して傾斜した第１の底壁部３２及び第２の底壁部３３とからなる。前記第１の底壁部３２は、第１のインキ保溜部材６Ａ近傍の軸筒２側壁内面に一体に連結され、前記第２の底壁部３３は、第２のインキ保溜部材６Ｂ近傍の軸筒２側壁内面に一体に連結される。前記隔壁３により、第１のインキ貯溜部８Ａと第２のインキ貯溜部８Ｂとが、隔壁３を介して径方向に重なり合う２層の重層状態に形成される。
【００３７】
・第１の収容部
前記第１の収容部５Ａは、前方に開口する横断面円形状の第１の大径部５１Ａと、該第１の大径部５１Ａより後方に連設される横断面半円形状の第１の小径部５２Ａとからなる。前記第１の大径部５１Ａには、第１のインキ保溜部材６Ａが嵌入される。前記第１のインキ保溜部材６Ａの後方の第１の収容部５Ａ内（即ち第１のインキ保溜部材６Ａの後方の第１の大径部５１Ａと第１の小径部５２Ａとからなる空間）には、第１のインキ貯溜部８Ａが形成される。
【００３８】
・第２の収容部
前記第２の収容部５Ｂは、前方に開口する横断面円形状の第２の大径部５１Ｂと、該第２の大径部５１Ｂより後方に連設される横断面半円形状の第２の小径部５２Ｂとからなる。前記第２の大径部５１Ｂには、第２のインキ保溜部材６Ｂが嵌入される。前記第２のインキ保溜部材６Ｂの後方の第２の収容部５Ｂ内（即ち第２のインキ保溜部材６Ｂの後方の第２の大径部５１Ｂと第２の小径部５２Ｂとからなる空間）には、第２のインキ貯溜部８Ｂが形成される。
【００３９】
・第１のインキ保溜部材
前記第１のインキ保溜部材６Ａは、第１のインキ貯溜部８Ａ内の圧力上昇に応じた溢出インキを一時的に保持する部材であり、本実施例では、複数の円板状櫛歯を備えた合成樹脂（例えばＡＢＳ樹脂）の射出成形体である。前記第１のインキ保溜部材６Ａの前端には、第１のペン先４Ａが取り付けられる。前記第１のインキ保溜部材６Ａの軸心には軸心孔が貫設され、前記軸心孔に第１の誘導芯７Ａが挿着される。前記第１の誘導芯７Ａの前端は、第１のインキ保溜部材６Ａの前端より前方に突出され第１のペン先４Ａとなり、前記第１の誘導芯７Ａの後端は、第１のインキ保溜部材６Ａ後端より後方に突出される。
【００４０】
・第１の誘導芯
前記第１の誘導芯７Ａは、軸方向の毛細管通路を有する、繊維加工体、多孔質体、合成樹脂押出成形体のいずれであってもよいが、本実施例では、、ポリエステルエラストマー等の軟質合成樹脂の押出成形体よりなる芯部７１Ａと、該芯部７１Ａの外周を被覆するポリアセタール樹脂等の硬質合成樹脂よりなる外皮部７２Ａとからなる。前記第１の誘導芯７Ａの前端部は、芯部７１Ａ及び外皮部７２Ａが毛筆状に研削され、芯部７１Ａの毛細管通路が外部に露出され、毛筆ペン先となる。
【００４１】
一方、前記第１の誘導芯７Ａの後端部は、芯部７１Ａ及び外皮部７２Ａが研削され、芯部７１Ａの毛細管通路が径方向外方に露出される。第１のペン先４Ａが上向き状態の場合（図１参照）、第１の誘導芯７Ａの後端部が第１のインキ９Ａ中に没入され、第１の誘導芯７Ａの後端が第１のインキ９Ａの液面より後方位置（下方位置）にあり、第１の誘導芯７Ａの後端部と第１のインキ９Ａとが接触状態にある。尚、前記第１の誘導芯７Ａの後端と第１のインキ９Ａの液面の軸方向の距離は、ペン先上向き状態でも第１の誘導芯７Ａに十分なインキ供給が可能な点で、０．５ｍｍ以上（好ましくは１ｍｍ以上）が有効である。
【００４２】
尚、第１のペン先４Ａが上向き状態となる時（図１参照）、下向き状態となる第２のペン先４Ｂ側も、第２の誘導芯７Ｂの後端部と第２のインキ９Ｂとが接触状態となる。
【００４３】
・第２のインキ保溜部材
前記第２のインキ保溜部材６Ｂは、第２のインキ貯溜部８Ｂ内の圧力上昇に応じた溢出インキを一時的に保持する部材であり、本実施例では、複数の円板状櫛歯を備えた合成樹脂（例えばＡＢＳ樹脂）の射出成形体である。前記第２のインキ保溜部材６Ｂの前端には、第２のペン先４Ｂが取り付けられる。前記第２のインキ保溜部材６Ｂの軸心には軸心孔が貫設され、前記軸心孔に第２の誘導芯７Ｂが挿着される。前記第２の誘導芯７Ｂの前端は、第２のインキ保溜部材６Ｂの前端より前方に突出され第２のペン先４Ｂとなり、前記第２の誘導芯７Ｂの後端は、第２のインキ保溜部材６Ｂ後端より後方に突出される。
【００４４】
・第２の誘導芯
前記第２の誘導芯７Ｂは、軸方向の毛細管通路を有する、繊維加工体、多孔質体、合成樹脂押出成形体のいずれであってもよいが、本実施例では、、ポリエステルエラストマー等の軟質合成樹脂の押出成形体よりなる芯部７１Ｂと、該芯部７１Ｂの外周を被覆するポリアセタール樹脂等の硬質合成樹脂よりなる外皮部７２Ｂとからなる。前記第２の誘導芯７Ｂの前端部は、芯部７１Ｂ及び外皮部７２Ｂが毛筆状に研削され、芯部７１Ｂの毛細管通路が外部に露出され、毛筆ペン先となる。
【００４５】
一方、前記第２の誘導芯７Ｂの後端部は、芯部７１Ｂ及び外皮部７２Ｂが研削され、芯部７１Ｂの毛細管通路が径方向外方に露出される。第２のペン先４Ｂが上向き状態の場合（図３参照）、第２の誘導芯７Ｂの後端部が第２のインキ９Ｂ中に没入され、第２の誘導芯７Ｂの後端が第２のインキ９Ｂの液面より後方位置（下方位置）にあり、第２の誘導芯７Ｂの後端部と第２のインキ９Ｂとが接触状態にある。
【００４６】
尚、前記第２の誘導芯７Ｂの後端と第２のインキ９Ｂの液面の軸方向の距離は、ペン先上向き状態でも第２の誘導芯７Ｂに十分なインキ供給が可能な点で、０．５ｍｍ以上（好ましくは１ｍｍ以上）が有効である。
【００４７】
尚、第２のペン先４Ｂが上向き状態となる時（図３参照）、下向き状態となる第１のペン先４Ａ側も、第１の誘導芯７Ａの後端部と第１のインキ９Ａとが接触状態となる。
【００４８】
・第１の凹状空間
前記第１の底壁部３２と、前記第１のインキ保溜部材６Ａの後端面と、その間の軸筒２側壁とにより、縦断面凹状の第１の凹状空間１０Ａが形成される。前記第１の凹状空間１０Ａ内には第１の誘導芯７Ａの後端部が位置される。さらに、前記第１の誘導芯７Ａの後端は、傾斜状の第１の底壁部３２の前端より後方且つ傾斜状の第１の底壁部３２の後端より前方に位置される。それにより、第１の誘導芯７Ａの後端と第１の底壁部３２とを接近させ、第１のインキ誘導芯７Ａの後端部の後方突出量を出来るかぎり長く設定できる。
【００４９】
第１のインキ貯溜部８Ａ内の第１のインキ９Ａの残量が少なくなった場合、両頭式筆記具１を水平状態（図４参照）にしたり、第１のペン先４Ａを斜め上向きにしても、第１の凹状空間１０Ａを下側にすれば、前記第１の凹状空間１０Ａ内に第１のインキ９Ａを保持することができ、第１のインキ９Ａと第１の誘導芯７Ａの後端部との接触状態が維持され、第１の誘導芯７Ａの毛細管通路に第１のインキ９Ａを供給可能となり、インキ流出不良のない筆記使用が可能となる。
【００５０】
・第２の凹状空間
同様に、前記第２の底壁部３３と、前記第２のインキ保溜部材６Ｂの後端面と、その間の軸筒２側壁とにより、第２の凹状空間１０Ｂが形成される。前記第２の凹状空間１０Ｂ内には第２の誘導芯７Ｂの後端部が位置される。さらに、前記第２の誘導芯７Ｂの後端は、傾斜状の第２の底壁部３３の前端より後方且つ傾斜状の第２の底壁部３３の後端より前方に位置される。それにより、第２の誘導芯７Ｂの後端と第２の底壁部３３とを接近させ、第２のインキ誘導芯７Ｂの後端部の後方突出量を出来るかぎり長く設定できる。
【００５１】
第２のインキ貯溜部８Ｂ内の第２のインキ９Ｂの残量が少なくなった場合、両頭式筆記具１を水平状態にしたり、第２のペン先４Ｂを斜め上向きにしても、第２の凹状空間１０Ｂを下側にすれば、前記第２の凹状空間１０Ｂ内に第２のインキ９Ｂを保持することができ、第２のインキ９Ｂと第２の誘導芯７Ｂの後端部との接触状態が維持され、第２の誘導芯７Ｂの毛細管通路に第２のインキ９Ｂを供給可能となり、インキ流出不良のない筆記使用が可能となる。
【００５２】
・インキ
本実施例では、前記第１のインキ貯溜部８Ａ内には、黒色（墨色）の第１のインキ９Ａが充填され、第２のインキ貯溜部８Ｂ内には灰色（薄墨色）の第２のインキ９Ｂが充填されている。それにより、直液タイプの慶弔用の両頭式筆ペンが得られる。
【実施例２】
【００５３】
図５乃至図８に本発明の第２実施例を示す。
本実施例の両頭式筆記具１は、一端に第１のペン先４Ａを備え且つ他端に第２のペン先４Ｂを備えた軸筒２からなる。
【００５４】
・軸筒
前記軸筒２は、両端が開口された円筒体である。前記軸筒２は、透明性の合成樹脂（即ち透明また半透明の合成樹脂）の射出成形により得られる。前記軸筒２の内面には、隔壁３が一体に形成される。前記隔壁３により、前記軸筒２の内部に、軸筒２の一端より開口する第１の収容部５Ａと、軸筒２の他端より開口する第２の収容部５Ｂとが形成される。前記隔壁３により、前記第１の収容部５Ａと第２の収容部５Ｂとの間は、連通せず、互いにインキが流通しないように遮断される。前記透明または半透明の合成樹脂は、例えば、ポリプロピレンが挙げられる。本実施の形態では、前記透明または半透明の合成樹脂は、軸筒２内のインキ色が視認しやすいように、無色透明性または非着色透明性の合成樹脂が採用されている。
【００５５】
・隔壁
前記隔壁３は、軸線と略平行に延びる中央壁部３１と、該中央壁部３１の両端より延設される軸線に対して傾斜した第１の底壁部３２及び第２の底壁部３３とからなる。前記第１の底壁部３２は、第１のインキ保溜部材６Ａ近傍の軸筒２側壁内面に一体に連結され、前記第２の底壁部３３は、第２のインキ保溜部材６Ｂ近傍の軸筒２側壁内面に一体に連結される。前記隔壁３により、第１のインキ貯溜部８Ａと第２のインキ貯溜部８Ｂとが、隔壁３を介して径方向に重なり合う２層の重層状態に形成される。
【００５６】
・第１の収容部
前記第１の収容部５Ａは、前方に開口する横断面円形状の第１の大径部５１Ａと、該第１の大径部５１Ａより後方に連設される横断面半円形状の第１の小径部５２Ａとからなる。前記第１の大径部５１Ａには、第１のインキ保溜部材６Ａが嵌入される。前記第１のインキ保溜部材６Ａの後方の第１の収容部５Ａ内（即ち第１のインキ保溜部材６Ａの後方の第１の大径部５１Ａと第１の小径部５２Ａとからなる空間）には、第１のインキ貯溜部８Ａが形成される。
【００５７】
・第２の収容部
前記第２の収容部５Ｂは、前方に開口する横断面円形状の第２の大径部５１Ｂと、該第２の大径部５１Ｂより後方に連設される横断面半円形状の第２の小径部５２Ｂとからなる。前記第２の大径部５１Ｂには、第２のインキ保溜部材６Ｂが嵌入される。前記第２のインキ保溜部材６Ｂの後方の第２の収容部５Ｂ内（即ち第２のインキ保溜部材６Ｂの後方の第２の大径部５１Ｂと第２の小径部５２Ｂとからなる空間）には、第２のインキ貯溜部８Ｂが形成される。
【００５８】
・第１のインキ保溜部材
前記第１のインキ保溜部材６Ａは、第１のインキ貯溜部８Ａ内の圧力上昇に応じた溢出インキを一時的に保持する部材であり、本実施例では、複数の円板状櫛歯を備えた合成樹脂（例えばＡＢＳ樹脂）の射出成形体である。前記第１のインキ保溜部材６Ａの前端には、第１のペン先４Ａが取り付けられる。前記第１のインキ保溜部材６Ａの軸心には軸心孔が貫設され、前記軸心孔に第１の誘導芯７Ａが挿着される。前記第１の誘導芯７Ａの前端は、第１のインキ保溜部材６Ａの前端より前方に突出され第１のペン先４Ａとなり、前記第１の誘導芯７Ａの後端は、第１のインキ保溜部材６Ａ後端より後方に突出される。
【００５９】
・第１の誘導芯
前記第１の誘導芯７Ａは、軸方向の毛細管通路を有する、繊維加工体、多孔質体、合成樹脂押出成形体のいずれであってもよいが、本実施例では、、ポリエステルエラストマー等の軟質合成樹脂の押出成形体よりなる芯部７１Ａと、該芯部７１Ａの外周を被覆するポリアセタール樹脂等の硬質合成樹脂よりなる外皮部７２Ａとからなる。前記第１の誘導芯７Ａの前端部は、芯部７１Ａ及び外皮部７２Ａが毛筆状に研削され、芯部７１Ａの毛細管通路が外部に露出され、毛筆ペン先となる。
【００６０】
一方、前記第１の誘導芯７Ａの後端部は、芯部７１Ａ及び外皮部７２Ａが研削され、芯部７１Ａの毛細管通路が径方向外方に露出される。第１のペン先４Ａが上向き状態の場合（図１参照）、第１の誘導芯７Ａの後端部が第１のインキ９Ａ中に没入され、第１の誘導芯７Ａの後端が第１のインキ９Ａの液面より後方位置（下方位置）にあり、第１の誘導芯７Ａの後端部と第１のインキ９Ａとが接触状態にある。尚、前記第１の誘導芯７Ａの後端と第１のインキ９Ａの液面の軸方向の距離は、ペン先上向き状態でも第１の誘導芯７Ａに十分なインキ供給が可能な点で、０．５ｍｍ以上（好ましくは１ｍｍ以上）が有効である。
【００６１】
尚、第１のペン先４Ａが上向き状態となる時（図１参照）、下向き状態となる第２のペン先４Ｂ側も、第２の誘導芯７Ｂの後端部と第２のインキ９Ｂとが接触状態となる。
【００６２】
・第２のインキ保溜部材
前記第２のインキ保溜部材６Ｂは、第２のインキ貯溜部８Ｂ内の圧力上昇に応じた溢出インキを一時的に保持する部材であり、本実施例では、複数の円板状櫛歯を備えた合成樹脂（例えばＡＢＳ樹脂）の射出成形体である。前記第２のインキ保溜部材６Ｂの前端には、第２のペン先４Ｂが取り付けられる。前記第２のインキ保溜部材６Ｂの軸心には軸心孔が貫設され、前記軸心孔に第２の誘導芯７Ｂが挿着される。前記第２の誘導芯７Ｂの前端は、第２のインキ保溜部材６Ｂの前端より前方に突出され第２のペン先４Ｂとなり、前記第２の誘導芯７Ｂの後端は、第２のインキ保溜部材６Ｂ後端より後方に突出される。
【００６３】
・第２の誘導芯
前記第２の誘導芯７Ｂは、軸方向の毛細管通路を有する、繊維加工体、多孔質体、合成樹脂押出成形体のいずれであってもよいが、本実施例では、、ポリエステルエラストマー等の軟質合成樹脂の押出成形体よりなる芯部７１Ｂと、該芯部７１Ｂの外周を被覆するポリアセタール樹脂等の硬質合成樹脂よりなる外皮部７２Ｂとからなる。前記第２の誘導芯７Ｂの前端部は、芯部７１Ｂ及び外皮部７２Ｂが毛筆状に研削され、芯部７１Ｂの毛細管通路が外部に露出され、毛筆ペン先となる。
【００６４】
一方、前記第２の誘導芯７Ｂの後端部は、芯部７１Ｂ及び外皮部７２Ｂが研削され、芯部７１Ｂの毛細管通路が径方向外方に露出される。第２のペン先４Ｂが上向き状態の場合（図３参照）、第２の誘導芯７Ｂの後端部が第２のインキ９Ｂ中に没入され、第２の誘導芯７Ｂの後端が第２のインキ９Ｂの液面より後方位置（下方位置）にあり、第２の誘導芯７Ｂの後端部と第２のインキ９Ｂとが接触状態にある。
【００６５】
尚、前記第２の誘導芯７Ｂの後端と第２のインキ９Ｂの液面の軸方向の距離は、ペン先上向き状態でも第２の誘導芯７Ｂに十分なインキ供給が可能な点で、０．５ｍｍ以上（好ましくは１ｍｍ以上）が有効である。
【００６６】
尚、第２のペン先４Ｂが上向き状態となる時（図３参照）、下向き状態となる第１のペン先４Ａ側も、第１の誘導芯７Ａの後端部と第１のインキ９Ａとが接触状態となる。
【００６７】
・第１の凹状空間
前記第１の底壁部３２と、前記第１のインキ保溜部材６Ａの後端面と、その間の軸筒２側壁とにより、縦断面凹状の第１の凹状空間１０Ａが形成される。前記第１の凹状空間１０Ａ内には第１の誘導芯７Ａの後端部が位置される。さらに、前記第１の誘導芯７Ａの後端は、傾斜状の第１の底壁部３２の前端より後方且つ傾斜状の第１の底壁部３２の後端より前方に位置される。それにより、第１の誘導芯７Ａの後端と第１の底壁部３２とを接近させ、第１のインキ誘導芯７Ａの後端部の後方突出量を出来るかぎり長く設定できる。
【００６８】
第１のインキ貯溜部８Ａ内の第１のインキ９Ａの残量が少なくなった場合、両頭式筆記具１を水平状態（図８参照）にしたり、第１のペン先４Ａを斜め上向きにしても、第１の凹状空間１０Ａを下側にすれば、前記第１の凹状空間１０Ａ内に第１のインキ９Ａを保持することができ、第１のインキ９Ａと第１の誘導芯７Ａの後端部との接触状態が維持され、第１の誘導芯７Ａの毛細管通路に第１のインキ９Ａを供給可能となり、インキ流出不良のない筆記使用が可能となる。
【００６９】
・第２の凹状空間
同様に、前記第２の底壁部３３と、前記第２のインキ保溜部材６Ｂの後端面と、その間の軸筒２側壁とにより、第２の凹状空間１０Ｂが形成される。前記第２の凹状空間１０Ｂ内には第２の誘導芯７Ｂの後端部が位置される。さらに、前記第２の誘導芯７Ｂの後端は、傾斜状の第２の底壁部３３の前端より後方且つ傾斜状の第２の底壁部３３の後端より前方に位置される。それにより、第２の誘導芯７Ｂの後端と第２の底壁部３３とを接近させ、第２のインキ誘導芯７Ｂの後端部の後方突出量を出来るかぎり長く設定できる。
【００７０】
第２のインキ貯溜部８Ｂ内の第２のインキ９Ｂの残量が少なくなった場合、両頭式筆記具１を水平状態にしたり、第２のペン先４Ｂを斜め上向きにしても、第２の凹状空間１０Ｂを下側にすれば、前記第２の凹状空間１０Ｂ内に第２のインキ９Ｂを保持することができ、第２のインキ９Ｂと第２の誘導芯７Ｂの後端部との接触状態が維持され、第２の誘導芯７Ｂの毛細管通路に第２のインキ９Ｂを供給可能となり、インキ流出不良のない筆記使用が可能となる。
【００７１】
・第１のリブ
前記第１の凹状空間１０Ａを構成する軸筒２側壁内面及び第１の底壁部３２には、軸方向に延びる第１のリブ１１Ａが一体に形成される。前記第１のリブ１１Ａと、前記第１の誘導芯７Ａの後端部外周面との間に、毛細管力を有する隙間１２Ａが形成される。前記隙間１２Ａにより、第１のインキ貯溜部８Ａ内の第１のインキ９Ａの残量が少なくなった場合でも、第１の誘導芯７Ａ後端部にインキを確実に供給することができる。その結果、第１のインキ貯溜部８Ａ内の第１のインキ９Ａを消尽することができる。
【００７２】
・第２のリブ
同様に、前記第２の凹状空間１０Ｂを構成する軸筒２側壁内面及び第２の底壁部３３には、軸方向に延びる第２のリブ１１Ｂが一体に形成される。前記第２のリブ１１Ｂと、第１の誘導芯７Ａの後端部外周面との間に、毛細管力を有する隙間１２Ｂが形成される。前記隙間１２Ｂにより、第２のインキ貯溜部８Ｂ内の第２のインキ９Ｂの残量が少なくなった場合でも、第２の誘導芯７Ｂ後端部にインキを確実に供給することができる。その結果、第２のインキ貯溜部８Ｂ内の第１のインキ９Ｂを消尽することができる。
【００７３】
・インキ
本実施例では、前記第１のインキ貯溜部８Ａ内には、黒色（墨色）の第１のインキ９Ａが充填され、第２のインキ貯溜部８Ｂ内には灰色（薄墨色）の第２のインキ９Ｂが充填されている。それにより、直液タイプの慶弔用の両頭式筆ペンが得られる。
【図面の簡単な説明】
【００７４】
【図１】本発明の第１実施例の第１のペン先の上向き状態を示す縦断面図である。
【図２】図１のＡ−Ａ線拡大断面図である。
【図３】前記第１実施例の第２のペン先の上向き状態を示す縦断面図である。
【図４】前記第１実施例の水平状態の第１のペン先側を示す縦断面図である。
【図５】本発明の第２実施例の第１のペン先の上向き状態を示す縦断面図である。
【図６】図５のＢ−Ｂ線拡大断面図である。
【図７】図５のＣ−Ｃ線拡大断面図である。
【図８】前記第２実施例の水平状態の第１のペン先側を示す縦断面図である。
【符号の説明】
【００７５】
１  両頭式筆記具
２  軸筒
３  隔壁
３１  中央壁部
３２  第１の底壁部
３３  第２の底壁部
４Ａ  第１のペン先
５Ａ  第１の収容部
５１Ａ  第１の大径部
５２Ａ  第１の小径部
６Ａ  第１のインキ保溜部材
７Ａ  第１の誘導芯
７１Ａ  芯部
７２Ａ  外皮部
８Ａ  第１のインキ貯溜部
９Ａ  第１のインキ
１０Ａ  第１の凹状空間
１１Ａ  第１のリブ
１２Ａ  隙間
４Ｂ  第２のペン先
５Ｂ  第２の収容部
５１Ｂ  第２の大径部
５２Ｂ  第２の小径部
６Ｂ  第２のインキ保溜部材
７Ｂ  第２の誘導芯
７１Ｂ  芯部
７２Ｂ  外皮部
８Ｂ  第２のインキ貯溜部
９Ｂ  第２のインキ
１０Ｂ  第２の凹状空間
１１Ｂ  第２のリブ
１２Ｂ  隙間
【図１】
2006027063.tif 000003
【図２】
2006027063.tif 000004
【図３】
2006027063.tif 000005
【図４】
2006027063.tif 000006
【図５】
2006027063.tif 000007
【図６】
2006027063.tif 000008
【図７】
2006027063.tif 000009
【図８】
2006027063.tif 000010